【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
第１基地局トランスミッタを操作する方法であって：
ｉ）前記方法は、前記第１基地局トランスミッタが第２周波数帯域内に送信しない第１期間に第１周波数帯域内に送信するように前記第１基地局トランスミッタを操作するステップを含んでおり；
ｉｉ）前記方法は、前記第１期間より短い第２期間に第２周波数帯域内に送信するように前記第１基地局トランスミッタを操作するステップを含んでおり、前記第１基地局トランスミッタは、前記第１周波数帯域内に送信する期間の１／Ｎより短い期間の間前記第２周波数帯域内に送信し、このＮは２より大きな正の値であり；
ｉｉｉ）前記方法は、ステップｉ及びｉｉを反復するステップを含む、方法。
【請求項２】
ステップｉ及びｉｉは、前記第１トランスミッタが前記第１周波数帯域内に送信する時間の長さが前記第２周波数帯域内に送信する時間の長さより平均で長いように、定期的間隔を置いて反復される、請求項１に記載の方法。
【請求項３】
前記第２期間に前記第１基地局トランスミッタは前記第１周波数帯域内に送信しない、請求項１に記載の方法。
【請求項４】
前記第１トランスミッタは、時間に関して、前記第１トランスミッタが前記第２周波数帯域内に送信するより少なくとも２０倍長く前記第１周波数帯域内に送信する、請求項１に記載の方法。
【請求項５】
前記第１及び第２の周波数帯域は同じサイズである、請求項１に記載の方法。
【請求項６】
第２期間に第２周波数帯域内に送信するように前記第１基地局トランスミッタを操作することは、送信されるパワーの少なくとも６０％を、前記第２周波数帯域の１／５未満を占める１つ以上のトーンに集中することを含む、請求項５に記載の方法。
【請求項７】
第２期間に第２周波数帯域内に送信するように前記第１基地局トランスミッタを操作することは、先行する１秒の時間間隔においてトーンを送信するために使用される平均トーン当たりパワーの少なくとも２０倍で１つのトーンを送信することを含む、請求項５に記載の方法。
【請求項８】
前記第２期間に前記第１周波数帯域内に送信するように前記第１基地局トランスミッタを操作することを更に含む、請求項１に記載の方法。
【請求項９】
第１周波数帯域内に送信するステップｉは、複数の別々のトーンでユーザデータを前記第１周波数帯域内に送信することを含む、請求項１に記載の方法。
【請求項１０】
前記ユーザデータは音声、テキスト及びユーザアプリケーションデータのうちの少なくとも１つを含む、請求項９に記載の方法。
【請求項１１】
第２周波数帯域内に送信するステップｉｉは、トランスミッタ情報を送信するが特定ユーザ向けデータを送信しないことを含む、請求項９に記載の方法。
【請求項１２】
前記トランスミッタ情報はセル識別情報及びセクタ識別情報のうちの少なくとも１つを含む、請求項１１に記載の方法。
【請求項１３】
第２周波数帯域内に送信するステップｉｉは、前記第１周波数帯域内に情報を送信するために使用されるトーンの数より少ないトーンで情報を送信することを含む、請求項１１に記載の方法。
【請求項１４】
前記第２周波数帯域内に情報を送信するために使用されるトーンの前記数は３より少ない、請求項１１に記載の方法。
【請求項１５】
ステップｉ及びｉｉは、各々、少なくとも１つの複素シンボルを含む少なくとも１つのＯＦＤＭ信号を送信することを含む、請求項１１に記載の方法。
【請求項１６】
ステップｉｉは２つのＯＦＤＭシンボルを送信することを含む、請求項１５に記載の方法。
【請求項１７】
前記トランスミッタ情報は少なくとも１つのトーンを用いて送信され、前記第１トランスミッタは、該トランスミッタが前記第１期間に前記第１周波数帯域内にユーザデータを送信するために使用される任意の１つのトーンで送信するのに比して、前記の少なくとも１つのトーンで少なくともＭ倍のパワー量を送信し、このＭは２より大きい正の整数である、請求項１１に記載の方法。
【請求項１８】
前記トランスミッタ情報は少なくとも１つのトーンを用いて送信され、前記第１トランスミッタは先行する１秒の時間間隔の間にトーンを送信するために使用された平均トーン当たりパワーの少なくとも２０倍を用いて前記の少なくとも１つのトーンを送信する、請求項１１に記載の方法。
【請求項１９】
Ｍは少なくとも５である、請求項１７に記載の方法。
【請求項２０】
前記第１期間は複数のシンボル送信期間を含み、前記第２期間は前記第１期間より少ないシンボル送信期間を含む、請求項１５に記載の方法。
【請求項２１】
ｉｉｉ）前記方法は、第２基地局トランスミッタが前記第１周波数帯域内に送信しない第３期間に前記第２周波数帯域内に送信するように前記第２基地局トランスミッタを操作するステップを更に含み；
ｉｖ）前記方法は、前記第３期間より短い第４期間に前記第１周波数帯域内に送信するように前記第２基地局トランスミッタを操作するステップを更に含み、前記第２基地局トランスミッタが前記第２周波数帯域内に送信する期間の１／Ｎより短い期間の間前記第２基地局トランスミッタは前記第１周波数帯域内に送信し；
ｖ）前記方法は、ステップｉｉｉ及びｉｖを反復するステップを更に含む、請求項１に記載の方法。
【請求項２２】
ステップｉｉｉ及びｉｖの反復は、定期的間隔を置いて複数回実行される、請求項２１に記載の方法。
【請求項２３】
前記第４期間には前記第２基地局トランスミッタは前記第２周波数帯域内に送信しない、請求項２１に記載の方法。
【請求項２４】
前記第３期間に前記第２基地局トランスミッタはテキスト及び音声データのうちの少なくとも１つを含むユーザデータを送信する、請求項２１に記載の方法。
【請求項２５】
前記第２基地局トランスミッタは前記第４期間に基地局情報を送信するがユーザデータは送信しない、請求項２４に記載の方法。
【請求項２６】
前記第１及び第２の基地局トランスミッタは別々の物理的に隣接するセル内にある、請求項２５に記載の方法。
【請求項２７】
前記第１及び第２の基地局トランスミッタは同じセル内にある、請求項２５に記載の方法。
【請求項２８】
前記の第１及び第２のトランスミッタはセクタトランスミッタであり；
前記第１基地局トランスミッタを使用するステップｉｉの実行と前記第２基地局トランスミッタを使用するステップｉｖの実行との間には一定の時間オフセットがある、請求項２７に記載の方法。
【請求項２９】
基地局であって、該基地局は：
第１及び第２の周波数帯域内に信号を送信するための第１トランスミッタと；
前記第１トランスミッタが第２周波数帯域内に送信しない第１期間に第１周波数帯域内に送信し；
少なくとも前記第１期間の１／５より短い第２期間に第２周波数帯域内に送信するように前記第１トランスミッタを制御するための手段と；
を含む、基地局。
【請求項３０】
前記第２期間に前記第１トランスミッタは前記第１周波数帯域内に送信しない、請求項２９に記載の基地局。
【請求項３１】
前記第１トランスミッタ制御手段は、前記第２期間に前記第１周波数帯域内に送信するように前記第１トランスミッタを制御する、請求項２９に記載の基地局。
【請求項３２】
前記の第１及び第２の周波数帯域は同じサイズである、請求項２９に記載の基地局。
【請求項３３】
前記基地局は：
送信するべく記憶されたユーザデータのセットを更に含み、前記の記憶されたユーザデータのセットは音声、テキスト及びユーザアプリケーションデータのうちの少なくとも１つを含み；
前記第１期間に前記第１周波数帯域内に送信するように前記第１トランスミッタを制御することは、前記の記憶されているユーザデータのうちの少なくとも或るものを前記第１周波数帯域内に送信するように前記トランスミッタを制御することを含む；
請求項２９に記載の基地局。
【請求項３４】
前記基地局は：
トランスミッタ情報を更に含んでおり；
前記第２周波数帯域内に送信するように前記第１トランスミッタを制御することは、前記第２周波数帯域内に如何なるユーザデータも送信することなく前記トランスミッタ情報のうちの少なくとも或るものを送信するように前記トランスミッタを制御することを含む；
請求項３３に記載の基地局。
【請求項３５】
前記第１トランスミッタ制御手段は、前記第１期間に前記第１周波数帯域内に送信するよりも少ない信号トーンを前記第２期間に前記第２周波数帯域内に送信するように前記トランスミッタを制御する、請求項３４に記載の基地局。
【請求項３６】
前記第２期間に前記第１トランスミッタによって４個より少ない信号トーンが前記第２周波数帯域内に送信される、請求項３４に記載の基地局。
【請求項３７】
前記第２周波数帯域内に送信される前記信号トーンは、前記第１期間に前記第１周波数帯域内にユーザデータを送信するために使用される最大パワーの少なくとも２倍で送信される、請求項３６に記載の基地局。
【請求項３８】
前記基地局は、前記の第１及び第２の周波数帯域内に信号を送信するための第２トランスミッタを更に含み；
前記基地局は、前記第２トランスミッタを制御するための手段を更に含み；
前記手段は、前記第２トランスミッタが前記第１周波数帯域内に送信しない第３期間に前記第２トランスミッタが前記第２周波数帯域内に送信するように前記第２トランスミッタを制御し；
前記手段は、前記第３期間より短い第４期間に前記第２トランスミッタが前記第１周波数帯域内に送信するように前記第２トランスミッタを制御し、前記第２トランスミッタが前記第２周波数帯域内に送信する期間の１／Ｎより短い期間の間前記第１周波数帯域内に送信するように前記第２トランスミッタを制御する；
請求項２９に記載の基地局。
【請求項３９】
前記の第１及び第２のトランスミッタは別々の物理的に隣接するセルの中にある、請求項３８に記載の基地局。
【請求項４０】
前記の第１及び第２のトランスミッタは同じセルの別々のセクタの中にある、請求項３８に記載の基地局。
【請求項４１】
前記第１トランスミッタ制御手段は、前記第１トランスミッタにユーザデータと前記第１トランスミッタに関連するトランスミッタ情報とを前記第１時間間隔に前記第１周波数帯域内に送信させ；
前記第１トランスミッタ制御手段は、テキスト或いは音声ユーザデータを除いて前記第１トランスミッタに関連するトランスミッタ情報を前記第２周波数帯域内に送信させる；
請求項４０に記載の基地局。
【請求項４２】
前記第２トランスミッタ制御手段は、前記第２トランスミッタにユーザデータと前記第２トランスミッタに関連するトランスミッタ情報とを前記第２周波数帯域内に送信させ；
前記第２トランスミッタ制御手段は、テキスト或いは音声ユーザデータを除いて前記第２トランスミッタに関連するトランスミッタ情報を前記第１周波数帯域内に送信させる；
請求項４１に記載の基地局。
【請求項４３】
前記第１トランスミッタに関連する前記トランスミッタ情報は第１トランスミッタ識別子であり、前記第２トランスミッタに関連する前記トランスミッタ情報は第２トランスミッタ識別子である、請求項４２に記載の基地局。